【事件の表示】
　特願２００７−５３３５６３号「患者の体温を調節する装置」拒絶査定不服審判事件〔平成１８年　４月　６日国際公開、ＷＯ２００６／０３６６１２、平成２０年　５月　８日国内公表、特表２００８−５１４２８３号〕について、次のとおり審決する。
【結　論】
　本件審判の請求は、成り立たない。
【理　由】
Ｉ．手続の経緯
　本願は、平成１７年９月１６日（パリ条約による優先権主張　２００４年９月２４日、アメリカ合衆国）を国際出願日とする出願であって、平成２２年８月３０日付けで拒絶理由が通知され、これに対し、平成２２年１２月７日付けで意見書及び手続補正書が提出され、平成２２年１２月２１日付けで拒絶査定がなされ、これに対し、平成２３年５月６日に拒絶査定不服審判の請求がなされるとともに、同日付けで特許請求の範囲についての手続補正がなされたものである。
　
II．平成２３年５月６日付けの手続補正についての補正却下の決定
［補正却下の決定の結論］
　平成２３年５月６日付けの手続補正（以下、「本件補正」という。）を却下する。
　
［理由］
１．補正後の本願発明
　本件補正により、特許請求の範囲の請求項１は、次のように補正された。
　
「患者の身体部分を収容するための内部空間が形成され、患者と熱伝導液体との間の熱伝導を促進するために、患者の身体部分に直接接触するようにして熱伝導液体を内部空間内へ収容するように構成されたエンクロージャと、
　上記患者の身体部分の真下を流れるようにして上記熱伝導液体を上記内部空間に導くように、上記内部空間に収容された前記患者の身体部分の下方に配置された少なくとも１つの注入口と、
　
上記内部空間に収容された上記患者の身体部分の下方に配置され、
　上記エンクロージャの少なくとも一部は、外側層と、上記熱伝導液体を運ぶように患者の身体部分に突き合わせ可能な浸透性の内側の流体移動層とを含み、
　上記移動層が実質的に疎水性の素材から形成されていることを特徴とする患者の体温を調節するための装置。」（なお、下線は補正箇所を示すものである。）
　
２．補正の目的の適否及び新規事項の追加の有無
　本件補正は、請求項１に記載した発明を特定するために必要な事項である「少なくとも１つの排出口」について、「上記内部空間に収容された上記患者の身体部分の下方に配置され」との限定事項を付加するものであり、かつ、補正後の請求項１に記載された発明は、補正前の請求項１に記載された発明と、産業上の利用分野及び解決しようとする課題が同一であるので、本件補正は、平成１８年法律第５５号改正附則第３条第１項によりなお従前の例によるとされる同法による改正前の特許法第１７条の２第４項第２号の特許請求の範囲の減縮を目的とするものに該当する。
　
　そして、本件補正は、新規事項を追加するものではない。
　
３．独立特許要件
　そこで、本件補正後の前記請求項１に記載された発明（以下、「本願補正発明」という。）が特許出願の際独立して特許を受けることができるものであるか（平成１８年法律第５５号改正附則第３条第１項によりなお従前の例によるとされる同法による改正前特許法第１７条の２第５項において準用する同法第１２６条第５項の規定に適合するか）について以下に検討する。
　
３−１．引用刊行物の記載事項
（刊行物１）
　原査定の拒絶の理由に引用された、本願優先権主張日前に頒布された刊行物である国際公開第２００４／００６８１４号（以下、「刊行物１」という。）には、図面と共に次の事項が記載されている。
（ア）「
Detailed Description of the Preferred Embodiment
　Referring now to the drawings and particularly to Fig. 1, reference number 21 generally indicates an apparatus for adjusting the body temperature of a patient. The apparatus 21 generally comprises an enclosure 25 defining an interior space 27 for receiving at least a portion 31 of a patient's body therein. The enclosure 25 is configured for substantially sealingly enclosing the portion 31 of the patient's body (illustrated in Fig. 1 as all of the patient's body below the head) within the interior space 27 with the enclosure generally contiguous with the patient's body. An inlet 35 of the enclosure 25 is adapted to receive heat transfer liquid 39, such as water, saline or other biocompatible liquids, into the enclosure. The inlet 35 is further in fluid communication with the interior space 27 of the enclosure 25 to direct heat transfer fluid 39 into the interior space 27 for flowing over the patient's body portion 31 in direct contact therewith to promote heat transfer between the patient's body portion and the heat transfer liquid. The enclosure 25 also has an outlet 45 in fluid communication with the interior space 27 of the enclosure for exhausting the heat transfer liquid 39 from the enclosure. More particularly, the enclosure 25 is adapted to generally conform to the portion of the patient's body 31 disposed within the interior space 27. Additionally, the inlet 35 and outlet 45 are positioned on the enclosure such that upon enclosure of the patient's body portion 31 within the interior space 27, the inlet faces a side of the patient's body portion opposite the outlet. Although any portion of the patient's body may be placed inside the enclosure 25, preferably the portion enclosed includes the body of the patient from the neck 51 of the patient downward, including the torso 53, arms 57 and legs 61 of the patient.
　In one embodiment, shown in Fig. 2, the enclosure 25 comprises a first sheet member 71 and a second sheet member 75 in sealing engagement with one another generally at their respective edge margins to form the interior space 27 for receiving the body portion 31. Here, the inlet 35 extends through the first sheet member 71 and the outlet 45 extends through the second sheet member 75. The sheet members 71,75 are disposed respectively above and below the body portion 31 of the patient, thereby arranging the inlet 35 and the outlet 45 on opposite sides of the patient. As shown in Fig. 2, the inlet 35 and outlet 45 may comprise multiple sub-inlets 35' and sub-outlets 45'. These sub-inlets and sub-outlets facilitate the flow of heat transfer liquid 39 over a larger area of the enclosed portion 31 of the patient's body, thereby promoting increased contact between the liquid and the portion of the patient's body.
（［好適な実施形態の詳細な説明］
　図面、特に図１を参照すると、符号２１は概略患者の身体温度を調整する装置を示している。装置２１は概略、患者身体の少なくとも一部３１を内部で受ける内側空間２７を画定する封入部２５を含む。封入部２５は、封入部が概略患者身体と接触して内側空間内部で（患者身体の全てが頭の下方になるように図１で示されている）患者身体の一部３１を実質的にシール自在に封入するように構成されている。封入部２５の入口３５は、水、塩水や他の生体適合性液体などの熱移転液体３９を封入内に受けるように、適合されている。入口３５は更に、封入部２５の内側空間２７と流体連絡し、直接接触して患者身体部３１を覆って流れ患者の身体部と熱移転液体との熱移転を促進する熱移転液体３９を、内側空間２７内に振り向ける。封入部２５は、封入部から熱移転液体３９を排出するための、封入部の内側空間２７と流体連絡する出口４５も有する。特に、封入部２５は内側空間２７の内部に配置された患者身体部３１と概略同形状になるように適合されている。更に、入口３５と出口４５は、内側空間２７内部に患者身体部３１が封入される際に、封入部に配置され、入口は出口と対向して患者身体部の側部に面している。患者身体のとの部分も封入２５内側に配置され得るが、封入される部分が、胴５３、腕５７及び脚６１を含む、患者の首５１から下方の患者身体部分を含むことが好ましい。
　図２に示すように、一つの実施形態では、封入部２５は、概略夫々の縁沿いで互いにシールして係合し、身体部３１を受けるように内側空間２７を形成する、第１のシート部材７１と第２のシート部材を含む。ここで、入口３５は第１のシート部材を介して伸展し、出口４５は第２のシート部材７５を介して伸展する。シート部材７１、７５は、夫々患者の身体部位３１の上方及び下方に配置され、従って患者について対向する側に入口３５と出口４５を配置する。図２に示すように、入口３５と出口４５は、サブ入口３５’とサブ出口４５’を含んでもよい。これらサブ入口とサブ出口は患者身体の封入された部分３１のより広い領域に渡っての熱移転液体３９の流れを助長し、従って液体と患者身体部位との間の接触の増加を促進する。（公報段落【００１２】〜【００１３】））」（明細書６ページ１３行〜７ページ２９行、（）内は仮訳として、対応する特表２００５−５３２１４１号公報を援用した。以下同様。）
　
（イ）「Referring now to Fig. 16, the enclosure 25 of the present invention preferably comprises a liquid impermeable outer layer 285, a mesh body-facing layer 289 and a layer of batting 293 between the outer layer and the body-facing layer. The liquid impermeable outer layer 285 retains the heat transfer liquid 39 within the enclosure 25, while the porous batting layer 293 allows liquid to pass from the batting into contact with the patient's body portion 31 for flow across the skin throughout the enclosure. The mesh layer 289 holds the batting layer 293 in place, allowing substantial contact between the body portion 31 and the liquid 39 within the batting.・・・The middle layer of batting 293 preferably comprises polyester batting, and the mesh layer 289 comprises a nylon screen. For example, the layer of batting 293 may be low loft polyester batting, such as is available from Carpenter Co. of Taylor, Texas, USA. The mesh layer 289 preferably is a Nylon screen mesh, such as is available from McMaster-Carr Supply Company of New Brunswick, New Jersey, USA. Because each of these components is relatively thin, the enclosure 25 may be folded or rolled into a compact shape for ease of storage. The total thickness of each member 77,79 of the enclosure is preferably less than about 5 mm (0.2 inch).
（図１６に示されるように、本発明の封入部２５は、液体不浸透性外側層２８５、メッシュ状身体面層２８９、及び外側層と身体面層との間の芯の層２９３を含むのが好ましい。液体不浸透性層２８５は封入部２５内部に熱移動液体３９を保持し、一方、多孔性の芯の層２９３により、液体は芯から出て患者身体部位３１に接触し封入部において皮膚全体に流れることができる。メッシュ状層２８９は芯の層２９３を適所に保持し、これにより身体部位３１と芯内部の液体３９とは実質的に接触できる。・・・芯の中間層２９３は、ポリエステルの芯を含むのが好ましく、メッシュ状層２８９はナイロンスクリーンを含むのが好ましい。例えば、芯の層２９３は、米国テキサス州Ｃａｒｐｅｎｔｅｒ  Ｃｏ．  ｏｆ  Ｔａｙｌｏｒから入手可能な、低弾性ポリエステル芯であればよい。メッシュ状層２８９は、米国ニュージャージー州ＭｃＭａｓｔｅｒ−Ｃａｒｒ  Ｓｕｐｐｌｙ  Ｃｏｍｐａｎｙ  ｏｆ  Ｎｅｗ  Ｂｒｕｎｓｗｉｃｋから入手可能なナイロンスクリーンメッシュであればよい。これらの素材の夫々は比較的薄いため、封入部２５は、格納に容易なコンパクト形状に折りたためることや巻き上げることが可能である。封入部２５の個々の部材７７，７９の全体厚さは、約５ｍｍ（０．２インチ）より薄いことが好ましい。（公報段落【００３８】））」（明細書２３ページ１６行〜２４ページ１６行）
　
（ウ）「
WHAT IS CLAIMED IS
1. Apparatus for adjusting the body temperature of a patient, said apparatus comprising: an enclosure defining an interior space for receiving at least a portion of a patient's body therein, said enclosure being configured for substantially sealingly enclosing said portion of the patient's body within the interior space, said enclosure having an inlet for receiving heat transfer liquid into said interior space for flow over the patient's body in direct liquid contact therewith to promote heat transfer between the patient's body and said heat transfer liquid, and an outlet in fluid communication with the interior space of the enclosure for exhausting said heat transfer liquid from the enclosure.
2. Apparatus as set forth in claim 1 wherein said enclosure is generally contiguous with the patient's body.
3. Apparatus as set forth in claim 2 further comprising a liquid delivery system for directing said heat transfer liquid to flow through the inlet of the enclosure into the interior space to the outlet of the enclosure.
・・・
37. Apparatus as set forth in claim 2 wherein the enclosure inlet and the enclosure outlet are disposed on generally opposite sides of the enclosure such that the inlet and outlet are disposed on opposite sides of said portion of the patient's body upon enclosure of the patient's body within the interior space of said enclosure.
38. Apparatus as set forth in claim 2 wherein said enclosure comprises a first sheet member and a second sheet member in sealing engagement with one another to form said interior space for receiving said body portion.
39. Apparatus as set forth in claim 38 wherein said inlet extends through said first sheet member and said outlet extends through said second sheet member.
・・・
55. Apparatus as set forth in claim 2 wherein said enclosure comprises a liquid impermeable outer layer, a mesh body-facing layer and a layer of batting between said outer layer and said body-facing layer, said batting layer being capable of carrying said liquid throughout the enclosure.
56. Apparatus as set forth in claim 55 wherein said liquid impermeable outer layer further comprises a neoprene outer shell with an inner layer of aluminum laminated polyester.
57. Apparatus as set forth in claim 55 wherein said middle layer of batting comprises polyester batting.
58. Apparatus as set forth in claim 55 wherein said mesh layer comprises a nylon screen.
59. Apparatus as set forth in claim 2 wherein said enclosure comprises a liquid impermeable outer layer and a layer of batting comprising a body-facing layer, said batting layer being capable of carrying said liquid throughout the enclosure. 
・・・
（【特許請求の範囲】
【請求項１】
　患者身体の少なくとも一部を中で受けるための内側空間を画定する封入部を含み、
　上記封入部は、内側空間内部で患者身体の上記一部を実質的にシールして封入するように構成され、
　上記封入部は、上記内側空間の中へ熱移動液体を受けて患者身体と直接液体接触させて患者身体全体に流し患者身体と上記熱移動液体との間の熱移動を促進する入口と、封入部の内側空間と流体連絡し封入部から上記熱移動液体を排出する出口を有することを特徴とする患者の身体温度を調整するための装置。
【請求項２】
　上記封入部が患者身体と概略接触していることを特徴とする請求項１に記載の装置。
【請求項３】
　上記熱移動液体を封入部の入口を経由し内側空間の中に流し封入部の出口に到るように仕向ける液体配布システムを、更に含むことを特徴とする請求項２に記載の装置。
・・・
【請求項３７】
　封入部入口と封入部出口が、上記封入部の内側空間内部に患者身体を封入する際に、患者身体の上記部位の対向する側に配置されるように、封入部入口と封入部出口が、封入部の概略対向する側に配置されることを特徴とする請求項２に記載の装置。
【請求項３８】
　上記封入部が、互いにシールして係合し、上記身体部位を受けるように上記内側空間を形成する第１のシート部材７１と第２のシート部材を含むことを特徴とする請求項２に記載の装置。
【請求項３９】
　上記入口が上記第１のシート部材を介して伸展し上記出口が上記第２のシート部材を介して伸展することを特徴とする請求項３８に記載の装置。
・・・
【請求項５５】
　上記封入部は、液体不浸透性外側層、メッシュ状身体面層、及び上記外側層と上記身体面層との間の芯の層を含み、
　上記芯の層は、上記液体を封入部全体に運ぶことができることを特徴とする請求項２に記載の装置。
【請求項５６】
　液体不浸透性層は更に、アルミニウムがラミネートされたポリエステルの内側層を伴うネオプレン外側シェル２９５を含むことを特徴とする請求項５５に記載の装置。
【請求項５７】
　上記芯の中間層は、ポリエステルの芯を含むことを特徴とする請求項５５に記載の装置。
【請求項５８】
　上記メッシュ状層はナイロンスクリーンを含むことを特徴とする請求項５５に記載の装置。
【請求項５９】
　上記封入部は、液体不浸透性外側層、及び身体面層を含む芯の層を含み、
　上記芯の層は、上記液体を封入部全体に運ぶことができることを特徴とする請求項２に記載の装置。
・・・（公報【特許請求の範囲】））」（明細書３３ページ１行〜４６ページ最終行）
　
　以上の記載事項及び図示内容から、刊行物１には、次の発明（以下、「引用発明」という。）が記載されている。
　
「第１のシート部材７１と第２のシート部材７５により患者の身体部位３１を受けるように内側空間２７を形成し、直接接触して患者身体部位３１を覆って流れ患者の身体部位３１と熱移転液体３９との熱移転を促進する熱移転液体３９を、内側空間２７内に受けるようにされた封入部２５と、
　熱移転液体３９を内側空間２７内に振り向けるように、患者の身体部位３１の下方に配置された第１のシート部材７１を介して伸展する入口３５と、
　患者の身体部位３１の上方に配置された第２のシート部材７５を介して伸展し、封入部２５から熱移転液体３９を排出するための、封入部２５の内側空間２７と流体連絡する出口４５と、を有し、
　封入部２５は、封入部２５内部に熱移転液体３９を保持する液体不浸透性外側層２８５、メッシュ状身体面層２８９、及び外側層２８５とメッシュ状身体面層２８９との間の多孔性のポリエステルの芯の層２９３を含み、芯の層２９３により、熱移転液体３９は芯から出て患者の身体部位３１に接触し封入部２５において皮膚全体に流れることができ、メッシュ状身体面層２８９は芯の層２９３を適所に保持し、これにより身体部位３１と芯内部の熱移転液体３９とは実質的に接触でき、また、封入部２５は内側空間２７の内部に配置された患者の身体部位３１と概略同形状になるように適合されている、
　患者の身体温度を調整する装置。」
　
３−２．対比
　本願補正発明と引用発明とを対比すると、その意味、構造又は機能からみて、引用発明の「患者の身体温度を調整する装置」は、本願補正発明の「患者の体温を調節するための装置」に相当し、以下同様に、「第１のシート部材７１と第２のシート部材７５により患者の身体部位３１を受けるように内側空間２７を形成し」は「患者の身体部分を収容するための内部空間が形成され」に、「直接接触して患者の身体部位３１を覆って流れ患者の身体部位３１と熱移転液体３９との熱移転を促進する熱移転液体３９を、内側空間２７内に受けるようにされた」は「患者と熱伝導液体との間の熱伝導を促進するために、患者の身体部分に直接接触するようにして熱伝導液体を内部空間内へ収容するように構成された」に、「封入部２５」は「エンクロージャ」に、「封入部２５から熱移転液体３９を排出するための、封入部２５の内側空間２７と流体連絡する出口４５」は「エンクロージャから熱伝導液体を排出するためにエンクロージャの内部空間に連通する少なくとも１つの排出口」に、「封入部２５内部に熱移転液体３９を保持する液体不浸透性外側層２８５」は「外側層」に、「多孔性の」は「浸透性の」に、「外側層２８５とメッシュ状身体面層２８９との間の」は「内側の」に、それぞれ相当する。
　引用発明は、「熱移転液体３９を内側空間２７内に振り向けるように、患者の身体部位３１の下方に配置された第１のシート部材７１を介して伸展する入口３５」を有し、「封入部２５は内側空間２７の内部に配置された患者の身体部位３１と概略同形状になるように適合され」、「熱移転液体３９は封入部２５において皮膚全体に流れることができ」るものであるところ、熱移転液体３９は身体部位３１の真下をも流れるようにして内部空間２７に導かれるとともに、入口３５は患者の身体部位３１の下方に配置されたものであるといえるから、本願補正発明の「患者の身体部分の真下を流れるようにして熱伝導液体を内部空間に導くように、内部空間に収容された患者の身体部分の下方に配置された少なくとも１つの注入口」との発明特定事項を有するといえる。
　引用発明の「外側層２８５とメッシュ状身体面層２８９との間の多孔性のポリエステルの芯の層２９３」は、「芯の層２９３により、熱移転液体３９は芯から出て患者の身体部位３１に接触し封入部２５において皮膚全体に流れることができ、メッシュ状身体面層２８９は芯の層２９３を適所に保持し、これにより身体部位３１と芯内部の熱移転液体３９とは実質的に接触でき」ることから、熱移転液体３９を運ぶものであるといえ、また、「封入部２５は内側空間２７の内部に配置された患者の身体部位３１と概略同形状になるように適合されて」いることから、患者の身体部分に突き合わせ可能なものでもあるといえるから、本願補正発明の「熱伝導液体を運ぶように患者の身体部分に突き合わせ可能な浸透性の内側の流体移動層」に相当する。してみれば、「封入部２５は、封入部２５内部に熱移転液体３９を保持する液体不浸透性外側層２８５、メッシュ状身体面層２８９、及び外側層２８５とメッシュ状身体面層２８９との間の多孔性のポリエステルの芯の層２９３を含」む引用発明は、本願補正発明の「エンクロージャの少なくとも一部は、外側層と、熱伝導液体を運ぶように患者の身体部分に突き合わせ可能な浸透性の内側の流体移動層とを含む」との発明特定事項を有するといえる。
　
　そこで、本願補正発明の用語を用いて表現すると、両者は次の点で一致する。
（一致点）
「患者の身体部分を収容するための内部空間が形成され、患者と熱伝導液体との間の熱伝導を促進するために、患者の身体部分に直接接触するようにして熱伝導液体を内部空間内へ収容するように構成されたエンクロージャと、
　上記患者の身体部分の真下を流れるようにして上記熱伝導液体を上記内部空間に導くように、上記内部空間に収容された前記患者の身体部分の下方に配置された少なくとも１つの注入口と、
　上記エンクロージャから上記熱伝導液体を排出するために上記エンクロージャの上記内部空間に連通する少なくとも１つの排出口と、を有し、
　上記エンクロージャの少なくとも一部は、外側層と、上記熱伝導液体を運ぶように患者の身体部分に突き合わせ可能な浸透性の内側の流体移動層とを含む、
　患者の体温を調節するための装置。」
　
　そして、両者は次の点で相違する。
（相違点１）
　「少なくとも１つの排出口」が、本願補正発明では、内部空間に収容された患者の身体部分の「下方」に配置されているのに対し、引用発明では、患者の身体部位３１の上方に配置された第２のシート部材７５を介して伸展する、すなわち内部空間に収容された患者の身体部分の「上方」に配置されるものである点。
　
（相違点２）
　「流体移動層」が、本願補正発明では「実質的に疎水性の素材から形成されている」のに対して、引用発明では「ポリエステル」からなるものの、「実質的に疎水性の素材から形成されている」との限定まではされていない点
　
３−３．相違点の判断
　上記相違点について検討する。
　
（相違点１について）
　刊行物１では、【請求項１】において「封入部は、上記内側空間の中へ熱移動液体を受けて患者身体と直接液体接触させて患者身体全体に流し患者身体と上記熱移動液体との間の熱移動を促進する入口と、封入部の内側空間と流体連絡し封入部から上記熱移動液体を排出する出口を有する」とし、その１つの好適な実施形態として、【請求項３７】において「封入部入口と封入部出口が、上記封入部の内側空間内部に患者身体を封入する際に、患者身体の上記部位の対向する側に配置されるように、封入部入口と封入部出口が、封入部の概略対向する側に配置される」としているとおり（上記記載事項（ウ）を参照）、その「入口」及び「出口」の配置は、それぞれ患者の身体部位の「下方」及び「上方」にのみ限定されるものではない。
　したがって、引用発明において、「少なくとも１つの注入口」及び「少なくとも１つの排出口」の配置は、内部空間に収容される患者の身体部分の構造や、求められる熱伝導液体の流れや冷却効果等を考慮して、当業者が適宜選択し得る設計的事項であるといえ、また、患者の身体部分を冷却または加熱するための装置において、患者の身体部分を収容するための内部空間に熱伝導液体を導く注入口及び熱伝導液体を排出する排出口を、当該身体部分に対して下方等の一方の側に配置することが周知の技術的事項（例えば、特表２００４−５２４９３８号公報の段落【００２５】、図４、英国特許第１０９５９８８号明細書の３ページ左欄６４行〜右欄２行、図１等を参照）であることを踏まえれば、引用発明において、「少なくとも１つの注入口」及び「少なくとも１つの排出口」を内部空間に収容された患者の身体部分の「下方」に配置し、上記相違点１に係る本願補正発明の発明特定事項のようにすることは当業者が容易に想到し得たことである。
　
（相違点２について）
　引用発明における「流体移動層」は「ポリエステル」からなるものであるところ、ポリエステルからなる素材の多くが疎水性であることは技術常識であること、また、引用発明における「流体移動層」は「熱移転液体３９は封入部２５において皮膚全体に流れることができる」という機能を奏すべきものであることを踏まえれば、引用発明において、「流体移動層」を「疎水性のポリエステル」から形成し、上記相違点２に係る本願補正発明の発明特定事項のようにすることに格別の困難性は認められない。
　
　そして、本願補正発明による効果も、引用発明から当業者が予測し得た程度のものであって、格別のものとはいえない。
　
　したがって、本願補正発明は、引用発明に基づいて、当業者が容易に発明をすることができたものであるので、特許法第２９条第２項の規定により、特許出願の際独立して特許を受けることができない。
　
３−４．むすび
　したがって、本件補正は、平成１８年法律第５５号改正附則第３条第１項によりなお従前の例によるとされる同法による改正前特許法第１７条の２第５項において準用する同法第１２６条第５項の規定に違反するので、同法第１５９条第１項において読み替えて準用する同法第５３条第１項の規定により却下すべきものである。
　
III．本願発明
　本件補正は、上記のとおり却下されたので、本願の請求項１に係る発明（以下、同項記載の発明を、「本願発明」という。）は、平成２２年１２月７日付けの手続補正書により補正された、拒絶査定時の特許請求の範囲の請求項１に記載された事項により特定される、以下のとおりのものである。
　
「患者の身体部分を収容するための内部空間が形成され、患者と熱伝導液体との間の熱伝導を促進するために、患者の身体部分に直接接触するようにして熱伝導液体を内部空間内へ収容するように構成されたエンクロージャと、
　上記患者の身体部分の真下を流れるようにして上記熱伝導液体を上記内部空間に導くように、上記内部空間に収容された前記患者の身体部分の下方に配置された少なくとも１つの注入口と、
　上記エンクロージャから上記熱伝導液体を排出するために上記エンクロージャの上記内部空間に連通する少なくとも１つの排出口と、を有し、
　上記エンクロージャの少なくとも一部は、外側層と、上記熱伝導液体を運ぶように患者の身体部分に突き合わせ可能な浸透性の内側の流体移動層とを含み、
　上記移動層が実質的に疎水性の素材から形成されていることを特徴とする患者の体温を調節するための装置。」
　
IV．引用刊行物の記載事項
　原査定の拒絶の理由に引用された刊行物１の記載事項は、前記II．３−１に記載したとおりである。
　
Ｖ．対比・判断
　本願発明は、前記II．１の本願補正発明から、「少なくとも１つの排出口」の限定事項である「上記内部空間に収容された上記患者の身体部分の下方に配置され」との構成を省いたものである。
　そうすると、本願発明の発明特定事項をすべて含み、さらに、他の発明特定事項を付加したものに相当する本願補正発明が、前記II．３−３に記載したとおり、引用発明に基づいて、当業者が容易に発明をすることができたものであるから、本願発明も、同様に、引用発明に基づいて、当業者が容易に発明をすることができたものである。
　
VI．むすび
　以上のとおり、本願発明は、引用発明に基づいて、当業者が容易に発明をすることができたものであるから、特許法第２９条第２項の規定により、特許を受けることができない。
　そして、本願の請求項１に係る発明が特許を受けることができないものである以上、本願の請求項２ないし２１に係る発明について検討するまでもなく、本願は拒絶すべきものである。
　よって、結論のとおり審決する。